(57)【要約】【課題】携帯容易で、各種の被計測物における長さを、そのもの自体、あるいは他物等にメジャー（目盛）を転写することによって簡単に測定できるようにする。【解決手段】ローラー支持体１によって回転可能に支持し、スタンプ印面部５ｂにメジャーＭを刻設して成るスタンプローラー５を備える。ローラー支持体１には、スタンプローラー５を覆う蓋体６を備え、さらに、ローラー支持体１には、筆記具Ｑの如き各種部材・物品に連繋する連繋手段１１例えば嵌合孔を設ける。【選択図】図１
2010253879.tif 000002
【特許請求の範囲】
【請求項１】
ローラー支持体によって回転可能に支持され、スタンプ印面部にメジャーを刻設して成るスタンプローラーを備えたことを特徴とするメジャースタンプローラー。
【請求項２】
ローラー支持体には、スタンプローラーを覆う蓋体を備えている請求項１記載のメジャースタンプローラー。
【請求項３】
ローラー支持体には、各種部材・物品に連繋する連繋手段を設けてある請求項１または２記載のメジャースタンプローラー。
【発明の詳細な説明】
【技術分野】
【０００１】
本発明は、長さを測るメジャーを刻設等で表示して成る浸透印面を周面に有するスタンプローラーを被計測物面に沿って転動させることにより当該被計測物にメジャー（目盛）を転写等し、それによって寸法等を計測できるようにした携帯容易なメジャースタンプローラーに関する。
【背景技術】
【０００２】
従来、出先その他で急に、所定の物品等の長さを計測する必要になった場合、定規、巻尺等の計測用具を持参していなければそれの寸法を測ることができず、そのため例えば予め判明している自己の身体の一部、例えば拡げた手指相互の間隔で大凡の寸法を測らざるを得ず、面倒であった。
【０００３】
これを解決すべく、被計測物面に沿って転動させることにより当該被計測物面に転写できるようにしたローラースタンプが幾つか提案されている。例えば特許文献１に開示されているように、１つの転動動作にて複数色によるスタンピングをすることができるローラースタンプが存在する。これは、周面に適宜文字、絵、模様等を刻設したローラーを支持するローラーホルダーの内面に、色の異なる複数のインクパッドを前記ローラーが回転中接触し得るように配置されている。また、色の変化を楽しめるように、前記インクパッドの一部または全部を前記ローラーの軸方向に移動可能にしたり、インクパッドをローラーホルダーに対して着脱可能したりして成る。
【０００４】
また、特許文献２に開示されているように、連続気泡を有する熱可塑性樹脂の発砲体から成る筒状のスタンプ部材から成るローラースタンプが存在する。これは、スタンプ部材がケースに回転可能に取り付けられ、芯部と歯車部とを有する軸部と、該軸部の芯部に取り付けられており、前記軸部の芯部の外周に歯車状の凹凸部を設け、該凹凸状の芯部を前記スタンプ部材の孔に圧入して、芯部に前記スタンプ部材を取り付けて成る。
【０００５】
また、特許文献３に開示されているように、１つの転動動作にて複数のパターンを連続的に重ねてスタンピングすることができるローラースタンプが存在する。これは、摘示部を備えたローラーホルダー周面に適宜文字、絵、模様等を刻設し、そこに内部からインキが浸出するようにした複数のローラーを、転動方向が一致し且つ転動路が重なるようにして軸支させて成る。
【先行技術文献】
【特許文献】
【０００６】
【特許文献１】特開平１１−３０１０８３号公報
【特許文献２】特開平１１−２０２８８号公報
【特許文献３】特開平９−２０７４１９号公報
【発明の概要】
【発明が解決しようとする課題】
【０００７】
しかしながら、これらの従来においてのローラースタンプは、長さの測定が困難な湾曲面を有する物にメジャーを直接転写できるようにして当該物の寸法を測るものとしたり、平面状の各種の物品等にメジャーを転写してこの物自体を物差しとして利用可能にしたりすることのできるものではない。
【０００８】
また、表面が凹凸状に湾曲した物の長さを測る場合には、通常の物差しでは困難であるため、例えばテープ状の巻き尺等を使って長さの測定が行われているが、この巻き尺自体は柔軟性を有するために捩れる等して被計測物の表面に適確に密着させることができず、正確な寸法が得られない。
【０００９】
そこで、本発明は叙上のような従来存した諸事情に鑑み創出されたもので、携帯容易で、長さの計測が必要な各種部材、物品等の被計測物に転写表示させることで、長短にかかわらず、ある程度の精度で長さを簡単に測定でき、しかも長さの測定が困難な凹凸状の湾曲面を有する被計測物であってもメジャーを直接転写できるようにして当該物の寸法を測ることができるメジャースタンプローラーを提供することを目的とする。
【課題を解決するための手段】
【００１０】
上述した課題を解決するために、本発明にあっては、ローラー支持体１によって回転可能に支持され、スタンプ印面部５ｂにメジャーＭを刻設して成るスタンプローラー５を備えたものである。
ローラー支持体１には、スタンプローラー５を覆う蓋体６を備えているものとすることができる。
ローラー支持体１には、筆記具Ｑの如き各種部材・物品に連繋する連繋手段１１を設けてあるものとすることができる。
【００１１】
以上のように構成された本発明に係るメジャースタンプローラーにあって、スタンプローラー５の転動によってスタンプ印面部５ｂのメジャーＭを各種の被計測物Ｐに転写させ、被計測物Ｐ自体の長さ、更にはメジャーＭを転写させた被計測物Ｐを利用した他物品の長さを測定させる。
【発明の効果】
【００１２】
本発明によれば、携帯容易で、計測を必要とする各種部材、物品等の被計測物Ｐに転写させることで、それらの長さを簡単、迅速に測定できるばかりでなく、そのメジャーＭを転写した被計測物Ｐ自体を利用して他の被計測物に宛がうことでその物の長さ等をも計測できると共に、長さの測定が困難な凹凸状の湾曲面を有する被計測物ＰにメジャーＭを直接転写できるようにして当該物の寸法を測ることができ、また、携帯容易であることでファンシー用品としても興趣に富むものである。
【００１３】
すなわち、これは本発明が、ローラー支持体１によって回転可能に支持され、スタンプ印面部５ｂにメジャーＭを刻設して成るスタンプローラー５を備えたからであり、スタンプローラー５の転動によって、スタンプ印面部５ｂのメジャーＭを各種の被計測物Ｐに直接転写させることで、当該被計測物Ｐの寸法を測ることができる。また、平面状または曲面状の各種の物にメジャーＭを転写しておけば、この物自体を物差し・定規として利用することができる。
【００１４】
ローラー支持体１には、スタンプローラー５を覆う蓋体６を備えたので、不使用時には蓋体６をローラー支持体１に取り付けることで、スタンプ印面部５ｂの保護が図れる。
【００１５】
ローラー支持体１には、筆記具Ｑを差し込む嵌合孔等による連繋手段１１を備えたので、本発明によるメジャースタンプローラーと筆記具Ｑとの併用が可能となるばかりでなく、筆記具Ｑの後端等に連繋して使用するにつき、筆記具Ｑ自体がローラー支持体１の支持具ともなり、簡便な使用を可能にする。
【００１６】
尚、上記の課題を解決するための手段、発明の効果の項それぞれにおいて付記した符号は、図面中に記載した構成各部を示す部分との参照を容易にするために付したもので、図面中の符号によって示された構造・形状に本発明が限定されるものではない。
【図面の簡単な説明】
【００１７】
【図１】本発明を実施するための一形態を示し、例えば筆記具に取り付けられたメジャースタンプローラーの斜視図である。
【図２】同じくメジャースタンプローラーの斜視図である。
【図３】同じく縦断面図である。
【図４】同じく使用状態を示す斜視図である。
【図５】メジャースタンプローラーの他例を示す開蓋状態の斜視図である。
【図６】同じく蓋体を取り外した状態の断面図である。
【図７】同じく他の使用状態を示す斜視図である。
【発明を実施するための形態】
【００１８】
以下、図面を参照して本発明の実施の一形態を詳細に説明すると、図において示される符号１は、例えばボールペンやシャープペン等の筆記具Ｑの後端部に脱着可能としたローラー支持体であり、例えばＡＢＳ等の合成樹脂材のインジェクション成型によって円柱台座状に成形されている。
【００１９】
また、図３に示すように、ローラー支持体１の下側には例えば筆記具Ｑの後端部に脱着可能に差し込み、連繋するための円形の嵌合孔の如き連繋手段１１を設け、ローラー支持体１の上側には、後述のスタンプローラー５を回転自在に支持する円板状のベース部１３を脱着可能に嵌め込むための円形の嵌合孔１２を設けてある。
【００２０】
そして、図１および図２に示すように、このローラー支持体１の周面には周回状の凹溝を複数条と成して備えることで、筆記具Ｑに対する脱着の際の滑り止めとなっている。また、ローラー支持体１およびベース部１３自体は、例えば赤色・黄色・緑色・青色等の色の異なるものが複数個用意されることで、筆記具Ｑに対してローラー支持体１の様々なカラーバリエーションが楽しめるようになっている。
【００２１】
ベース部１３の上には、図２および図３に示すように、左右に対向する一対の支持突部２ａ，２ｂを突設してあり、各支持突部２ａ，２ｂに開孔による軸受３ａ，３ｂを設けてある。この軸受３ａ，３ｂには、浸透印からなるスタンプローラー５の左右両側中心に突設した中心軸４ａ，４ｂを軸支し、スタンプローラー５を軸受３ａ，３ｂ間に回転可能に支持してある。
【００２２】
また、ローラー支持体１には、円筒体の上部が半球状となって塞がれた透明な合成樹脂製材による蓋体６が嵌め込まれてスタンプローラー５を覆うようにしてある。ローラー支持体１の嵌合孔１２に嵌合支持される前記のベース部１３は、このベース部１３の下端部分が嵌合孔１２に嵌合されていて、嵌合孔１２よりも上方に突出するベース部１３の突出部分周面に、蓋体６の下端開放側における内周面が嵌合して着脱自在に固定されるようにしてある。
【００２３】
そして、ベース部１３に回転自在に支承されるスタンプローラー５のスタンプ印面部５ｂには、長さを測るための例えば１ｃｍスケールによるメジャーＭを刻設してある。このメジャーＭをスタンプ印面部５ｂの全周に沿って刻設する場合、当該スタンプ印面部５ｂ上でのメジャーＭの始点と終点とが合致したところでスケールメモリに位相ズレが生じないように、スタンプローラー５の周面長さとその直径とが対応するように設定されている。このときの位相ズレとは、スタンプ印面部５ｂが１回転したときに、印刷されたメジャーＭの始点と終点とが例えば１ｃｍの整数倍に収まらないことを意味しており、スタンプ印面部５ｂが連結回転することで、いわば無限のメジャーＭを転写形成できるものとしている。
【００２４】
スタンプローラー５自体は、任意の色のスタンプ用インクを含浸させた浸透材にて形成されており、この浸透材にスタンプローラー５外周面からスタンプ用インクを供給含浸させることで、繰り返しの長期にわたる使用を可能にしている。
【００２５】
尚、図示例のスタンプローラー５は、任意の色のカラーインクを収容可能とした円筒状のタンク５ａの周面に、例えば熱溶着可能な熱可塑性合成樹脂材による浸透材から成るスタンプ印面部５ｂを付設し、タンク５ａの周側には複数の透孔５ｃを開孔形成してある。この透孔５ｃを介してタンク５ａ内のカラーインクを内側から周側のスタンプ印面部５ｂに常時含浸させるようにしてあるも、もとより、このようなタンク構造の採否は任意である。
【００２６】
また、連繋手段１１は、図示例のように嵌合孔とする場合に限らず、チェーン、紐材その他とすることもでき、例えばストラップ態様にすることで各種の物品例えば携帯電話機、カバン等に取り付けておくことで、アクセサリーを兼ねるようにすることもできる。
【００２７】
次に、以上のように構成された形態についての使用の一例について説明すると、先ず、図１に示すように、例えば筆記具Ｑに連繋させたローラー支持体１から蓋体６を外し、図４に示すように、筆記具Ｑを片手で持ってスタンプローラー５を、被計測物Ｐである例えば紙面等の上に当てて転動する。このとき、スタンプローラー５は中心軸４ａ，４ｂを軸にして回転するので、スタンプローラー５のスタンプ印面部５ｂのメジャーＭが被計測物Ｐ上に転写される。
【００２８】
こうすることで、被計測物Ｐ自体の長さを測定でき、また、転写表示したメジャーＭ部分を、測定すべき他の物に宛がうことでその物の長さを測定すれば良い。
【００２９】
また、図５乃至図７には、本形態におけるメジャースタンプローラーの他の例が示されている。尚、前記した構成に対応した部分には同じ符号を付与しその詳細な説明を省略してある。本例において、ローラー支持体１は、例えばＡＢＳ等の合成樹脂材のインジェクション成型でもって、下部を開放した半円形筐体状に成形して成る。
【００３０】
すなわち、このローラー支持体１は、図５および図６に示すように、この開放側に、左右に対向する一対の円弧突起状の支持突部２ａ，２ｂを突設してあり、各支持突部２ａ，２ｂに開孔による軸受３ａ，３ｂを設けてある。この軸受３ａ，３ｂには、浸透印から成るスタンプローラー５の左右両側中心に突設した中心軸４ａ，４ｂを軸支し、スタンプローラー５を軸受３ａ，３ｂ間に回転可能に支持してある。このとき、ローラー支持体１の開放側からスタンプローラー５の略半円部分が下方に露出している。
【００３１】
また、ローラー支持体１の開放側には、上部を開放した半円形の透明な合成樹脂材により成形して成る蓋体６が、例えば爪嵌合によって嵌め込まれて閉蓋できるようにしてある。すなわち、蓋体６は、その開放側の左右に対向する位置に、前記円弧突起状の支持突部２ａ，２ｂに対応した円弧凹状の支持凹部７ａ，７ｂが形成されている。そして、ローラー支持体１の開放側の前後に対向する位置に係止爪８ａ，８ｂを突設し、これに対応して蓋体６の開放側の前後に対向する位置に係止溝９ａ，９ｂを凹設してある。
【００３２】
閉蓋時には、支持凹部７ａ，７ｂに支持突部２ａ，２ｂを係合させながら両開放部分を合致させた際に、係止爪８ａ，８ｂが係止溝９ａ，９ｂに嵌合されることでローラー支持体１に蓋体６が閉蓋固定され、全体が円形状の筐体となって一体化され、その状態で携帯、保管等ができるようになっている。
【００３３】
スタンプローラー５のスタンプ印面部５ｂには、長さを測るための例えば１ｃｍスケールによるメジャーＭを刻設してある。この場合、図６に示すように、例えば直径Ｒを３．２ｃｍに設定しておけば、円周の長さは、３．２×π＝１０．０５３０…となり、円周の長さが略１０ｃｍとなったスタンプローラー５が形成され、これによってスタンプ印面部５ｂに１０ｃｍのメジャーＭが位相ズレを起こすことなく形成可能となる。
【００３４】
使用に際し、先ず、図５に示すように、ローラー支持体１から蓋体６を外し、ローラー支持体１を片手に持ってスタンプローラー５を被計測物Ｐである例えば紙面等の上に当てて転動する。このとき、スタンプローラー５は中心軸４ａ，４ｂを軸にして回転することで、スタンプローラー５のスタンプ印面部５ｂのメジャーＭが、各種の被計測物Ｐ上に転写され、それの長さを計測できる。
【００３５】
また、図７に示すように、長さの測定が困難な凹凸等の湾曲面を有する被計測物Ｐにスタンプローラー５のスタンプ印面部５ｂのメジャーＭを転写すれば、当該物の寸法がある程度正確に測れるものとなる。
【００３６】
さらに、シート状その他の平坦で、撓曲性ある物品面等にスタンプローラー５のスタンプ印面部５ｂのメジャーＭを転写形成することで、その物品を他の被計測物Ｐ面に宛がうように使用することで、その物品自体を物差しとして利用することもできる。
【符号の説明】
【００３７】
Ｐ…被計測物                            Ｑ…筆記具
Ｒ…直径                                Ｍ…メジャー
１…ローラー支持体                      ２ａ，２ｂ…支持突部
３ａ，３ｂ…軸受                        ４ａ，４ｂ…中心軸
５…スタンプローラー                    ５ａ…円筒タンク
５ｂ…スタンプ印面部                    ５ｃ…透孔
６…蓋体                                ７ａ，７ｂ…支持凹部
８ａ，８ｂ…係止爪                      ９ａ，９ｂ…係止溝
１１…連繋手段                          １２…嵌合孔
１３…ベース部
【図１】
2010253879.tif 000003
【図２】
2010253879.tif 000004
【図３】
2010253879.tif 000005
【図４】
2010253879.tif 000006
【図５】
2010253879.tif 000007
【図６】
2010253879.tif 000008
【図７】
2010253879.tif 000009